(57)【特許請求の範囲】
【請求項１】
扉等の開口部に掛け渡される跳ね上げ式手摺りにおいて、前記開口部の一方の側方の壁に取り付けられる回動側ブラケットであって、壁に取り付けられる壁取付部と、この壁取付部に回動可能に軸支される回動部と、少なくとも受け側ブラケットにバーが係合した状態から略９０°回動した状態までの間をバーを回動可能とするとともに、任意の角度でバーを固定することができる固定手段とを具備しており、前記固定手段は、回動部を壁取付部に回動可能に軸支する回動軸と、この回動軸の頭部と壁取付部との間に介在されるばね座金と、前記回動軸の脚部の先端に締結される止め座金と、回動部と壁取付部との間に介在される樹脂ワッシャーとを備えており、前記ばね座金は、回動部を壁取付部側に弾発付勢していることを特徴とする跳ね上げ式手摺り用回動ブラケット。
【発明の詳細な説明】
【０００１】
【発明の属する技術分野】
本発明は、跳ね上げ式手摺り用回動ブラケットに関する。
【０００２】
【従来の技術】
最近の高齢者の増加に伴って、室内、廊下、階段等に手摺りを設けることケースが増えている。例えば、廊下を構成する壁に扉等の開口部があった場合、その開口部はは人の出入りに使用されるため、開口部を掛け渡すような手摺りは設けられなかった。
【０００３】
しかし、それでは高齢者が廊下の手摺りを支えにして歩いていても、開口部の部分で手摺りがなくなるため、高齢者にとっては不自由なものであった。
【０００４】
かかる事態を考慮して、いわゆる跳ね上げ式手摺りが開発されている。この跳ね上げ式手摺りは、手摺りとして使用する場合、すなわち開口部を使用しない場合には開口部に掛け渡されているが、開口部を使用する場合には開口部に掛け渡されたバーを跳ね上げて開口部の邪魔にならないようにするものである。
【０００５】
この従来の跳ね上げ式手摺りは、開口部の一方の壁に取り付けられる回動側ブラケットと、この回動側ブラケットに取り付けられて開口部に掛け渡されるバーと、このバーの先端に取り付けられる係合部材と、開口部の他方の壁に取り付けられ、前記係合部材が係合する受け側ブラケットとの４つの部品から構成されている。前記回動側ブラケットは、取り付けられたバーを水平状態と垂直状態との間で回動することができるように構成されている。
【０００６】
【発明が解決しようとする課題】
しかしながら、従来の跳ね上げ式手摺りは、バーが水平になる、すなわち開口部に掛け渡された状態と、バーが垂直になった状態とでバーを固定するのみであった。このため、高齢者は開口部を使用する場合には、バーを水平状態から垂直状態にまで回動させて、バーを固定させてから開口部を閉じている扉等を開けるなければならなかった。これは、高齢者にとっては非常に難しい動作になる。これが、従来の跳ね上げ式手摺りの普及度が低かった１つの要因と考えられる。
【０００７】
本発明は上記事情に鑑みて創案されたもので、跳ね上げ式手摺りのバーを一定の位置以外でも固定することができる跳ね上げ式手摺りを提供することを目的としている。
【０００８】
【課題を解決するための手段】
本発明に係る跳ね上げ式手摺り用回動ブラケットは、扉等の開口部に掛け渡される跳ね上げ式手摺りにおいて、前記開口部の一方の側方の壁に取り付けられる回動側ブラケットであって、壁に取り付けられる壁取付部と、この壁取付部に回動可能に軸支される回動部と、少なくとも受け側ブラケットにバーが係合した状態から略９０°回動した状態までの間をバーを回動可能とするとともに、任意の角度でバーを固定することができる固定手段とを備えている。
【０００９】
また、前記固定手段は、回動部を壁取付部に回動可能に軸支する回動軸と、この回動軸の頭部と壁取付部との間に介在されるばね座金と、前記回動軸の脚部の先端に締結される止め座金と、回動部と壁取付部との間に介在される樹脂ワッシャーとを備えており、前記ばね座金は、回動部を壁取付部側に弾発付勢している。
【００１０】
【発明の実施の形態】
図１は本発明の第１の実施の形態に係る跳ね上げ式手摺り用回動ブラケットの概略的断面図、図２は本発明の第１の実施の形態に係る跳ね上げ式手摺り用回動ブラケットの概略的平面図、図３は本発明の第１の実施の形態に係る跳ね上げ式手摺り用回動ブラケットの概略的正面図、図４は本発明の第１の実施の形態に係る跳ね上げ式手摺り用回動ブラケットに用いられる樹脂ワッシャーの図面であって、同図（Ａ）は概略的正面図、同図（Ｂ）は概略的平面図、同図（Ｃ）は同図（Ａ）のＡ−Ａ線断面図である。
【００１１】
また、図５は本発明の第１の実施の形態に係る跳ね上げ式手摺り用回動ブラケットを用いた跳ね上げ式手摺りの閉じた状態の概略的正面図、図６は本発明の第１の実施の形態に係る跳ね上げ式手摺り用回動ブラケットを用いた跳ね上げ式手摺りの開いた状態の概略的正面図、図７は本発明の第１の実施の形態に係る跳ね上げ式手摺り用回動ブラケットを用いた跳ね上げ式手摺りの途中で固定された状態の概略的正面図、図８は本発明の第１の実施の形態に係る跳ね上げ式手摺り用回動ブラケットを用いた跳ね上げ式手摺りの閉じた状態の概略的平面図、図９は本発明の第１の実施の形態に係る跳ね上げ式手摺り用回動ブラケットを用いた跳ね上げ式手摺りの受け側ブラケットと係合部材との概略的断面図、図１０は本発明の第１の実施の形態に係る跳ね上げ式手摺り用回動ブラケットを用いた跳ね上げ式手摺りの係合部材の図面であって、同図（Ａ）は概略的平面図、同図（Ｂ）は概略的断面図、同図（Ｃ）は概略的底面図、同図（Ｄ）は概略的左側面部、同図（Ｅ）は概略的右側面図である。
【００１２】
さらに、図１１は本発明の第２の実施の形態に係る跳ね上げ式手摺り用回動ブラケットの概略的断面図、図１２は本発明の第３の実施の形態に係る跳ね上げ式手摺り用回動ブラケットの概略的平面図である。
【００１３】
本発明の第１の実施の形態に係る跳ね上げ式手摺り用回動ブラケット１０００Ａは、扉等の開口部Ｄに掛け渡される跳ね上げ式手摺りにおいて、前記開口部Ｄの一方の側方の壁Ｗに取り付けられる回動ブラケットであって、壁に取り付けられる壁取付部１１００Ａと、この壁取付部１１００Ａに回動可能に軸支される回動部１２００Ａと、少なくとも受け側ブラケット３０００Ａにバーが係合した状態から略９０°回動した状態までの間をバー４０００を回動可能とするとともに、任意の角度でバー４０００を固定することができる固定手段１３００Ａとを備えている。
【００１４】
この跳ね上げ式手摺り用回動ブラケット１０００Ａは、図１〜図３に示すように、壁Ｗに取り付けられる壁取付部１１００Ａと、この壁取付部１１００Ａに回動可能に軸支される回動部１２００Ａと、この回動部１２００Ａの回動を規制する固定手段１３００Ａとを有している。
【００１５】
前記壁取付部１１００Ａは、平面視略Ｌ字形状の本体部１１１０Ａと、この本体部１１１０Ａの周面に取り付けられる取付座部１１２０Ａとを有している。前記取付座部１１２０Ａは、略楕円状の座部１１２１Ａと、この座部１１２１Ａの中心から突出された柱部１１２２Ａとが一体に形成されたものである。座部１１２１Ａの裏面側から柱部１１２２Ａの内部にかけては、取付座部１１２０Ａを壁取付部１１００Ａに取り付けるための回動軸１３１０Ａのための空間１１２３Ａが形成されている。
【００１６】
また、前記座部１１２１Ａには、取付座部１１２０Ａを壁Ｗに取り付けるためのネジが挿入される４つのネジ用貫通孔１１２４Ａが開設されている。但し、このネジ用貫通孔１１２４Ａは図２においては、２つのみ示されている。
【００１７】
さらに、前記壁取付部１１００Ａの本体部１１１０Ａには、手摺り５０００を構成する棒材５１００が挿入される有底円筒形状の棒材連結部１１１１Ａが形成されている。この棒材連結部１１１１Ａには、棒材５１００を固定するためのネジが挿入される２つのネジ用貫通孔１１１３Ａが周面に開設されている。
【００１８】
かかる壁取付部１１００Ａの棒材連結部１１１１Ａの反対側は、棒材連結部１１１１Ａの太さの約１／２の太さの連結部１１１２Ａとなっている。この連結部１１１２Ａの外側、すなわち取付座部１１２０Ａが取り付けられる側の周面からその反対側にまで、固定手段１３００Ａの一部を内蔵するための貫通孔１１１３Ａが開設されている。
【００１９】
一方、回動部１２００Ａは、平面視略Ｌ字形状に形成されている。かかる回動部１２００Ａには、バー４０００の基端が挿入される有底円筒形状のバー連結部１２１０Ａが形成されている。このバー連結部１２１０Ａには、バー４０００を固定するためのネジが挿入される２つのネジ用貫通孔１２１１Ａが周面に開設されている。
【００２０】
前記バー連結部１２１０Ａの反対側は、バー連結部１２１０Ａの太さの約１／２の太さの連結部１２２０Ａとなっている。この連結部１２２０Ａの外側、すなわち前記取付座部１１２０Ａが取り付けられた側の反対側の周面からその反対側にまで、固定手段１３００Ａの一部を内蔵するための段付きの貫通孔１２２１Ａが開設されている。
【００２１】
この貫通孔１２２１Ａは、壁取付部１１００Ａ側では回動軸１３１０Ａの脚部１３１２Ａが貫通する程度の開口で、壁取付部１１００Ａの反対側、すなわち跳ね上げ式手摺り用回動ブラケット１０００Ａの正面側では、止め座金１３３０Ａの取付作業性を考慮して大きく開口している。この貫通孔１２２１Ａの奥側には、貫通孔１２２１Ａに被せられるカバー１２３０Ａの止め爪１２３１Ａが係合する段差部１２２２Ａが形成されている。
【００２２】
前記固定手段１３００Ａは、前記回動軸１３１０Ａと、この回動軸１３１０Ａの頭部１３１１Ａと前記空間１１２３Ａの底部との間に介在されるばね座金１３２０Ａと、前記回動軸１３１０Ａの脚部１３１２Ａの先端に前記貫通孔１２２１Ａ内において締結される止め座金１３３０Ａと、壁取付部１１００Ａと回動部１２００Ａとの間に介在される樹脂ワッシャー１３４０Ａとを有している。
【００２３】
前記回動軸１３１０Ａは、取付座部１１２０Ａを壁取付部１１００Ａに取り付けるだけでなく、回動部１２００Ａの回動中心として作用するものである。また、ばね座金１３２０Ａは、回動軸１３１０Ａ全体を頭部１３１１Ａ側に弾発付勢する、ひいては回動部１２００Ａを壁取付部１１００Ａ側に弾発付勢するものである。
【００２４】
さらに、樹脂ワッシャー１３４０Ａは、図４に示すように、壁取付部１１００Ａの連結部１１１２Ａと回動部１２００Ａの連結部１２２０Ａとの間に介在されるものであって、回動軸１３１０Ａが貫通する貫通孔１３４１Ａが開設されている。また、この樹脂ワッシャー１３４０Ａは、貫通孔１３４１Ａの周囲が厚肉部１３４２Ａとして他の部分より厚く形成されている。従って、前記厚肉部１３４２Ａは、壁取付部１１００Ａと回動部１２００Ａとの間で若干押しつぶされることにより、後述する固定手段１３００Ａによる回動部１２００Ａの固定を助力することになる。また、この樹脂ワッシャー１３４０Ａの一端に立上部１３４３Ａが形成されているのは、バー４０００を閉じた状態から開いた状態に回動させた場合、回動部１２００Ａが壁取付部１１００Ａに直接当たらないようにするためである。
【００２５】
前記回動部１２００Ａは、固定手段１３００Ａのばね座金１３２０Ａがあるために、壁取付部１１００Ａの側に引きつけられることになる。従って、回動軸１３１０Ａを中心として回動部１２００Ａが回動したとしても、壁取付部１１００Ａと回動部１２００Ａとの間に大きな摩擦力が働くために、回動部１２００Ａに取り付けられたバー４０００の重量より大きな力を加えないと、回動することがない。従って、図７に示すように、バー４０００が取り付けられた回動部１２００Ａは、使用者による力が加えられない限りは、途中であってもその位置で固定されることになる。
【００２６】
なお、かかる跳ね上げ式手摺り用回動ブラケット１０００は、次のように組立られる。
まず、樹脂ワッシャー１３４０Ａを回動部１２００Ａと壁取付部１１００Ａとで挟み込んだ状態で、取付座部１１２０Ａを壁取付部１１００Ａに組み込む。そして、取付座部１１２０Ａの空間１１２３Ａにばね座金１３２０Ａと回動軸１３１０Ａとを挿入し、回動軸１３１０Ａの先端が回動部１２００Ａの貫通孔１２２１Ａに突出するようにする。この状態で、取付座部１１２０Ａの空間１１２３Ａに図示しないボルトをネジ込み、ばね座金１３２０Ａと回動軸１３１０Ａとを固定する。回動軸１３１０Ａの先端に止め座金１３３０Ａでかしめる。止め座金１３３０Ａのかしめが完了したならば、前記ボルトを外す。
【００２７】
一方、上述した跳ね上げ式手摺り用回動ブラケット１０００Ａに取り付けられるバー４０００は、開口部Ｄに掛け渡されるものであって、手摺り５０００を構成する他の棒材５１００と同じ素材から構成されている。かかるバー４０００の長さ寸法は、開口部Ｄの幅寸法より長く設定されている。バー４００が開口部Ｄの幅寸法より短ければ、バー４００を上げたとしても、他の棒材５１００が開口部Ｄを遮ることになるからである。
【００２８】
このバー４０００の先端、すなわち前記跳ね上げ式手摺り用回動ブラケット１０００Ａが取り付けられる側とは反対の側には、係合部材２０００Ａが取り付けられている。この係合部材２０００Ａは、図１０に示すように、有底円筒形状のバー連結部２１００Ａと、このバー連結部２１００Ａの底部２１１０Ａから外側に向かって突出した円筒形状の係合部２２００Ａとが一体に形成されたものである。前記バー連結部２１００Ａは、バー４０００の先端が挿入される部分であって、バー４０００を係合部材２０００Ａに固定するためのネジが挿入される２つのネジ用貫通孔２１２０Ａが周面に開設されている。また、前記係合部２２００Ａは、前記底部２１１０Ａから突出されているため、有形筒形状になっている。この係合部２２００Ａは、後述する受け側ブラケット３０００Ａの係合機構３３００Ａの係合爪３３１０Ａが嵌まり込むようになっている。また、この係合部２２００Ａは、バー連結部２１００Ａより細く形成されている。
【００２９】
前記受け側ブラケット３０００Ａは、受け側本体３１００Ａと、この受け側本体３１００Ａの周面に取り付けられた取付座部３２００Ａと、前記受け側本体３１００Ａに内蔵された係合機構３３００Ａとを有している。
【００３０】
前記取付座部３２００Ａは、略楕円状の座部３２１０Ａと、この座部３２１０Ａの中心から突出された柱部３２２０Ａとが一体に形成されたものである。座部３２１０Ａの裏面側から柱部３２２０Ａの内部にかけては、取付座部３２００Ａを受け側本体３１００Ａに取り付けるための回動軸１３１０Ａのための空間（図示省略）が形成されている。また、前記座部３２１０Ａには、取付座部３２００Ａを壁Ｗに取り付けるためのネジが挿入される４つのネジ用貫通孔３２１１Ａが開設されている。
【００３１】
また、前記受け側本体３１００Ａは、手摺り５０００を構成する棒材５１００が挿入される有底円筒形状の棒材連結部３１１０Ａが形成されている。この棒材連結部３１１０Ａには、棒材５１００を固定するためのネジが挿入される２つのネジ用貫通孔（図示省略）が周面に開設されている。
【００３２】
かかる受け側本体３１００Ａの棒材連結部３１１０Ａの反対側には、平面視略凹字形状になった受け部３１２０Ａが形成されている。この受け部３１２０Ａは、前記係合機構３３００Ａの一部を構成するものである。この受け部３１２０Ａに前記係合部２２００Ａが嵌まり込むことで、受け側ブラケット３０００Ａは係合部材２０００Ａ、ひいてはバー４０００を受けるのである。
【００３３】
また、前記受け部３１２０Ａには、スプリング３３３０Ａによって進退可能になった係合爪３３１０Ａが設けられている。この係合爪３３１０Ａは、上面がテーパ面３３１１Ａとなっている。また、この係合爪３３１０Ａを後退させるためのつまみ３３２０Ａが設けられている。これらのスプリング３３３０Ａ、係合爪３３１０Ａ及びつまみ３３２０Ａも係合機構３３００Ａの一部を構成するものである。
【００３４】
かかる係合機構３３００Ａは、次のように作用する。上側から降りてきたバー４０００の係合部材２０００Ａの係合部２２００Ａが、係合爪３３１０Ａのテーパ面３３１１Ａに接触することにより、係合爪３３１０Ａがスプリング３３３０Ａの弾性力に抗して後退する。係合部２２００Ａが受け部３１２０Ａに完全に受けられたならば、係合爪３３１０Ａは係合部材２０００Ａの係合部２２００Ａに嵌まり込むので、スプリング３３３０Ａの弾性力によって突出し、係合部材２０００Ａと係合して係合部材２０００Ａが外れないようにする。
【００３５】
係合部材２０００Ａを受け側ブラケット３０００Ａから外す場合、すなわちバー４０００を開ける場合には、つまみ３３２０Ａを横方向にスライドさせることで係合爪３３１０Ａをスプリング３３３０Ａの弾性力に抗して後退させ、係合爪３３１０Ａと係合部２２００Ａとの係合を解除した状態で、係合部材２０００Ａ、すなわちバー４００を開けるのである。
【００３６】
次に、本発明の第２の実施の形態に係る跳ね上げ式手摺り用回動ブラケット１０００Ｂについて、図１１を参照しつつ説明する。この第２の実施の形態に係る跳ね上げ式手摺り用回動ブラケット１０００Ｂが、上述した第１の実施の形態に係るものと相違する点は、取付座部１１２０Ｂの壁取付部１１００Ｂへの取り付け位置である。すなわち、第１の実施の形態に係るものでは、回動部１２００Ａの回動中心となる回動軸１３１０Ａによって取付座部１１２０Ａが壁取付部１１００Ａの本体部１１１０Ａに取り付けられていたが、第２の実施の形態に係るものでは、取付座部１１２０Ｂは回動中心からオフセットされた位置において壁取付部１１００Ｂの本体部１１１０Ｂに取り付けられているのである。
【００３７】
このため、この跳ね上げ式手摺り用回動ブラケット１０００Ｂにおいては、回動中心となる回動軸１３１０Ｂを取り付けるために、壁取付部１１００Ｂの本体部１１１０Ｂに開設された開口を覆うカバー１２４０Ｂが必要になる。
【００３８】
この第２の実施の形態に係る跳ね上げ式手摺り用回動ブラケット１０００Ｂのその他の点は、すなわち、壁取付部１１００Ｂ、回動部１２００Ｂ及び固定手段１３００Ｂ等は、上述した跳ね上げ式手摺り用回動ブラケット１０００Ａと同様であるので説明を省略する。
【００３９】
次に、本発明の第３の実施の形態に係る跳ね上げ式手摺り用回動ブラケット１０００Ｃについて、図１２を参照しつつ説明する。
この第３の実施の形態に係る跳ね上げ式手摺り用回動ブラケット１０００Ｃが、上述した第１の実施の形態及び第２の実施の形態と相違する点は、取付座部１１２０Ｃの取付方向である。すなわち、第１の実施の形態に係る跳ね上げ式手摺り用回動ブラケット１０００Ａ等では、取付座部１１２０Ｃは壁取付部１１００Ｃの本体部１１１０Ｃに対して直交する方向に取り付けられていたが、第３の実施の形態に係るものでは、取付座部１１２０Ｃは壁取付部１１００Ｃの本体部１１１０Ｃに対して真っ直ぐに取り付けれらているのである。
【００４０】
かかる跳ね上げ式手摺り用回動ブラケット１０００Ｃであると、図１２に示すように、開口部Ｄが設けられた壁Ｗと直交する壁Ｗ１が開口部Ｄの間近にあったとしても跳ね上げ式手摺りを設けることができる。
【００４１】
また、この第３の実施の形態に係る跳ね上げ式手摺り用回動ブラケット１０００Ｃでは、壁取付部１１００Ｃの棒材連結部１１１１Ｃにダミー部材１４００Ｃを挿入し、このダミー部材１４００Ｃに取付座部１１２０Ｃを取り付けるので、第２の実施の形態に係るものにダミー部材１４００Ｃを追加するだけで、他の部材を変更することなしに使用できる場所を変更することができるというメリットもある。
【００４２】
この第３の実施の形態に係る跳ね上げ式手摺り用回動ブラケット１０００Ｂのその他の点は、すなわち、壁取付部１１００Ｂ、回動部１２００Ｂ及び固定手段１３００Ｂ等は、上述した跳ね上げ式手摺り用回動ブラケット１０００Ａと同様であるので説明を省略する。
【００４３】
なお、上述した実施の形態における係合部材２０００Ａ、受け側ブラケットトＡ等は一例であって、他の構成であってもよいことはいうまでもない。
【００４４】
【発明の効果】
本発明に係る跳ね上げ式手摺り用回動ブラケットは、扉等の開口部に掛け渡される跳ね上げ式手摺りにおいて、前記開口部の一方の側方の壁に取り付けられる回動側ブラケットであって、壁に取り付けられる壁取付部と、この壁取付部に回動可能に軸支される回動部と、少なくとも受け側ブラケットにバーが係合した状態から略９０°回動した状態までの間をバーを回動可能とするとともに、任意の角度でバーを固定することができる固定手段とを有している。
【００４５】
従って、従来の跳ね上げ式手摺りのようにバーを水平と垂直とのみならず、他の中間位置においても固定することができるようになった。このため、バーを途中まで上げれば開口部からの出入りが可能になるため、高齢者にとっては無理のない動作でバーを開閉することができる。
【００４６】
特に、前記固定手段は、回動部を壁取付部に回動可能に軸支する回動軸と、この回動軸の頭部と壁取付部との間に介在されるばね座金と、前記回動軸の脚部の先端に締結される止め座金と、回動部と壁取付部との間に介在される樹脂ワッシャーとを備えており、前記ばね座金は、回動部を壁取付部側に弾発付勢している構成とすることにより、簡単に固定手段を構成することができるというメリットがある。
【図面の簡単な説明】
【図１】本発明の第１の実施の形態に係る跳ね上げ式手摺り用回動ブラケットの概略的断面図である。
【図２】本発明の第１の実施の形態に係る跳ね上げ式手摺り用回動ブラケットの概略的平面図である。
【図３】本発明の第１の実施の形態に係る跳ね上げ式手摺り用回動ブラケットの概略的正面図である。
【図４】本発明の第１の実施の形態に係る跳ね上げ式手摺り用回動ブラケットに用いられる樹脂ワッシャーの図面であって、同図（Ａ）は概略的正面図、同図（Ｂ）は概略的平面図、同図（Ｃ）は同図（Ａ）のＡ−Ａ線断面図である。
【図５】本発明の第１の実施の形態に係る跳ね上げ式手摺り用回動ブラケットを用いた跳ね上げ式手摺りの閉じた状態の概略的正面図である。
【図６】本発明の第１の実施の形態に係る跳ね上げ式手摺り用回動ブラケットを用いた跳ね上げ式手摺りの開いた状態の概略的正面図である。
【図７】本発明の第１の実施の形態に係る跳ね上げ式手摺り用回動ブラケットを用いた跳ね上げ式手摺りの途中で固定された状態の概略的正面図である。
【図８】本発明の第１の実施の形態に係る跳ね上げ式手摺り用回動ブラケットを用いた跳ね上げ式手摺りの閉じた状態の概略的平面図である。
【図９】本発明の第１の実施の形態に係る跳ね上げ式手摺り用回動ブラケットを用いた跳ね上げ式手摺りの受け側ブラケットと係合部材との概略的断面図である。
【図１０】本発明の第１の実施の形態に係る跳ね上げ式手摺り用回動ブラケットを用いた跳ね上げ式手摺りの係合部材の図面であって、同図（Ａ）は概略的平面図、同図（Ｂ）は概略的断面図、同図（Ｃ）は概略的底面図、同図（Ｄ）は概略的左側面部、同図（Ｅ）は概略的右側面図である。
【図１１】本発明の第２の実施の形態に係る跳ね上げ式手摺り用回動ブラケットの概略的断面図である。
【図１２】本発明の第３の実施の形態に係る跳ね上げ式手摺り用回動ブラケットの概略的平面図である。
【符号の説明】
１０００Ａ    跳ね上げ式手摺り用回動ブラケット
１１００Ａ    壁取付部
１２００Ａ    回動部
１３００Ａ    固定手段
２０００Ａ    係合部材
３０００Ａ    受け側ブラケット
Ｗ            壁
Ｄ            開口部
【図１】
0003896009.tif 000002
【図２】
0003896009.tif 000003
【図３】
0003896009.tif 000004
【図４】
0003896009.tif 000005
【図５】
0003896009.tif 000006
【図６】
0003896009.tif 000007
【図７】
0003896009.tif 000008
【図８】
0003896009.tif 000009
【図９】
0003896009.tif 000010
【図１０】
0003896009.tif 000011
【図１１】
0003896009.tif 000012
【図１２】
0003896009.tif 000013